(57)【特許請求の範囲】
【請求項１】
箱型の本体キャビネットと、
前記本体キャビネットの両側面にそれぞれ装着され、二台の本体キャビネットを背中合わせに設置した場合に一方と他方とが連結される一対の側面パネルと
を備えたことを特徴とする自動販売機。
【請求項２】
前記一対の側面パネルの一方は後面に上下方向に延びる係止孔を有する一方、前記一対の側面パネルの他方は後面に上下方向に摺動可能であって、前記二台の本体キャビネットを背中合わせに設置した場合に前記係止孔に係止される係止片を備えたことを特徴とする請求項１に記載の自動販売機。
【発明の詳細な説明】
【技術分野】
【０００１】
本発明は、自動販売機に関する。
【背景技術】
【０００２】
自動販売機は、単体で壁際に設置されたり、横並びで壁際に設置されたりすることが多い（たとえば、特許文献１参照）。また、イベント広場やショッピングモールのように設置制限が少ない優良なロケーションでは、二台の自動販売機を背中合わせに設置できる場合もある。この場合には、自動販売機の倒伏を防止するために一方の自動販売機と他方の自動販売機とを連結しなければならない。
【先行技術文献】
【特許文献】
【０００３】
【特許文献１】特開昭６２−５５７９３号公報
【発明の概要】
【発明が解決しようとする課題】
【０００４】
しかしながら、二台の自動販売機を連結した状態で運搬することできない。このため、二台の自動販売機を背中合わせに設置する場合には、設置場所において連結する必要がある。
【０００５】
本発明は、上記に鑑みてなされたものであって、二台を背中合わせに設置する場合に一方と他方とを簡単に連結できる自動販売機を提供することを目的とする。
【課題を解決するための手段】
【０００６】
上述した課題を解決し、目的を達成するために、本発明は、箱型の本体キャビネットと、前記本体キャビネットの両側面にそれぞれ装着され、二台の本体キャビネットを背中合わせに設置した場合に一方と他方とが連結される一対の側面パネルとを備えたことを特徴とする。
【０００７】
また、本発明は、上記発明において、前記一対の側面パネルの一方は後面に上下方向に延びる係止孔を有する一方、前記一対の側面パネルの他方は後面に上下方向に摺動可能であって、前記二台の本体キャビネットを背中合わせに設置した場合に前記係止孔に係止される係止片を備えたことを特徴とする。
【発明の効果】
【０００８】
本発明にかかる自動販売機は、本体キャビネットの両側面にそれぞれ装着され、二台の本体キャビネットを背中合わせに設置した場合に一方と他方とが連結される一対の側面パネルを備えたので、二台の自動販売機を背中合わせに設置する場合には、一方の自動販売機の本体キャビネットの側面に装着された側面パネルと他方の自動販売機の本体キャビネットの側面に装着された側面パネルとが連結される。結果、一方の自動販売機と他方の自動販売機とが簡単に連結される。
【図面の簡単な説明】
【０００９】
【図１】図１は、本発明の実施の形態である自動販売機を示す斜視図である。
【図２−１】図２−１は、側面パネル後縁部の取付構造を説明するための拡大斜視図である。
【図２−２】図２−２は、側面パネル前縁部の取付構造を説明するための拡大斜視図である。
【図３】図３は、背面パネルを取り付けた状態を示す拡大斜視図である。
【図４】二台の自動販売機を連結する手順を示す概念図である。
【図５】図５は、本発明の実施の形態である自動販売機を二台組み合わせて設置した状態を示す斜視図である。
【発明を実施するための形態】
【００１０】
以下に、本発明にかかる自動販売機の実施の形態を図面に基づいて詳細に説明する。なお、この実施の形態によりこの発明が限定されるものではない。
【００１１】
図１は、本発明の実施の形態である自動販売機を示す斜視図であって、外扉を取り外した状態を示した図である。
【００１２】
図１に示すように、本発明の実施の形態である自動販売機は、本体キャビネット１を有している。本体キャビネット１は、複数の鋼板を適宜組み合わせることにより堅牢に構成したもので、前面が開口した箱型形状を有している。本体キャビネット１の左側縁部には、外扉（図示せず）が支承可能である。左側縁部に支承された外扉は、本体キャビネット１の前面開口を覆うに十分な大きさを有している。外扉は、本体キャビネットと同様に、複数の鋼板を適宜組み合わせることにより堅牢に構成してある。
【００１３】
本体キャビネット１の左側面と右側面とには、それぞれ側面パネル２，３が装着可能であって、本体キャビネット１の側面と背面とが交差する角部には、図２−１に示すように、取付金具４が取り付けてある。取付金具４は、本体キャビネット１の角部から後方域に断面コの字状となる凸部４２が突出するように形成してあり、その側面には、上下一対となるスリット（係止孔）４１が設けてある。スリット４１は、それぞれ上下方向に延びる細長い矩形の孔であり、後述する係止片２４が縁部に係止される。一方、本体キャビネット１の側面前縁部には、図２−２に示すように、上下一対となる貫通孔１１が設けてある。
【００１４】
図１に示すように、側面パネル２，３には、本体キャビネット１の左側面に装着される左側面パネル２と、本体キャビネット１の右側面に装着される右側面パネル３とがある。左側面パネル２の外観と右側面パネル３の外観とは左右対称であって、左側面パネル２と右側面パネル３とで対をなしている。
【００１５】
側面パネル２，３は、自動販売機の外観を変更することにより商品の販売を促進することを目的としたもので、本体キャビネット１の側面全域を覆うに十分な大きさを有している。側面パネル２，３は、本体キャビネット１の前縁から後縁に向けて延在しており、本体キャビネット１の前縁に面一となる前面２１，３１と、取付金具４の凸部４２と面一となる後面２２，３２とを有している。
【００１６】
また、側面パネル２，３は、前縁から後縁に向けて少しずつふくらみを帯びた流線形をなすように形成してあり、後面２２，３２は前面２１，３１の幅の数倍の幅を有している。また、側面パネル２，３の上面は板材２３，３３で塞いである。
【００１７】
また、図２−１に示すように、側面パネル２，３の後縁内側部には、上下一対となる係止片２４が設けてある。係止片２４は、後面２２，３２と平行であって、上述したスリット４１に挿通させた状態で側面パネル２，３を下方に移動させることにより、上述したスリット４１の縁部に係止される。
【００１８】
また、図２−２に示すように、側面パネル２，３の前縁内側には、折返２５が延在している。折返２５には、上下一対となるネジ孔２６が設けてあり、上述した貫通孔１１を挿通したネジＳが留められる。
【００１９】
また、上述した取付金具４には、背面パネル５が取り付け可能となっている。背面パネル５は、商品を冷やすことによって生じた熱（排熱）を排出するためのもので、図３に示すように、本体キャビネット１の背面を覆うに十分な大きさを有している。この背面パネル５は、二台の自動販売機を背中合わせに設置する場合に取り付けられ、本体キャビネット１と背面パネル５との間には排熱流路が画成される。そして、商品を冷やすことによって生じた熱（排熱）は排熱流路を通って本体キャビネット１の上方域に排出される。
【００２０】
図４に示すように、左側面パネル２の後面には上下一対となるスリット２７が設けてあり、右側面パネル３の後面には上下一対となるスリット３７が設けてある。左側面パネル２に設けたスリット２７と右側面パネル３に設けたスリット３７とは同一の高さ、同一の形状で形成してある。したがって、本体キャビネット１に側面パネル２，３を取り付けた二台の自動販売機を背中合わせに設置した場合に左側面パネル２に設けたスリット２７と右側面パネル３に設けたスリット３７とは重なることになる。
【００２１】
スリット２７，３７は、細長い矩形の孔であり、左側面パネル２に設けたスリット２７からは後述する係止爪７１が突出し、右側面パネル３に設けたスリット３７にはこの係止爪７１が進入する。
【００２２】
また、左側面パネル２の後部内側面には、連結部材取付金具６が取り付けてある。連結部材取付金具６は、後述する連結部材７を摺動可能に取り付けるためのもので、連結部材７が摺動する平坦面が左側面パネル２の後部内方域に突出するように形成してあり、上下方向に沿って延在している。具体的には、図に示すように、平面視コの字状となる凸部と凸部に連なる脚部とを有しており、脚部が左側面パネル２の内側面に取り付けられている。
【００２３】
連結部材７は、二台の自動販売機を背中合わせに設置する場合に、一方の自動販売機の本体キャビネット１に取り付けられた左側面パネル２と、他方の自動販売機の本体キャビネットに取り付けられた右側面パネル３とを連結するためのもので、上述した連結部材取付金具６に摺動可能に取り付けられている。連結部材７は上下方向に延びる板状体であって、一方の側面に上下一対となる係止爪７１が形成してある。係止爪７１は、上述したように、左側面パネル２の後面に設けたスリット２７から突出している。
【００２４】
図４（ａ）に示すように、係止爪７１は鉤状に形成してあり、その下面は先端から基端に向けて漸次低くなるように傾斜している。また、係止爪７１の基端には、左側面パネル２の後面２２と右側面パネル３の後面３２とが入り込む溝が形成してある。このため、二台の自動販売機を背中合わせに設置する場合に、一方の自動販売機の本体キャビネット１に取り付けられた左側面パネル２と、他方の自動販売機に取り付けられた右側面パネル３とが接近すると、図４（ｂ）（ｃ）に示すように、係止爪７１の傾斜に沿って連結部材７が上方に移動する。そして、一方の自動販売機の本体キャビネット１に取り付けられた左側面パネル２の後面２２と他方の自動販売機の本体キャビネット１に取り付けられた右側面パネル３の後面３２とが密着すると、図４（ｄ）に示すように、連結部材７が下方に移動し、一方の自動販売機の本体キャビネット１に取り付けられた左側面パネル２と他方の自動販売機の本体キャビネット１に取り付けられた右側面パネル３とが連結される。
【００２５】
上述した本発明の実施の形態である自動販売機は、本体キャビネット１に側面パネル２，３を装着することにより、自動販売機の外観が変更される。また、図５に示すように、本体キャビネット１に側面パネル２，３が装着された二台の自動販売機を背中合わせに設置する場合には、一方の自動販売機の左側面パネル２と他方の自動販売機の右側面パネル３とが連結され、一方の自動販売機の右側面パネル３と他方の自動販売機の左側面パネル２とが連結される。この結果、一方の自動販売機と他方の自動販売機とが連結されことになる。
【００２６】
なお、連結に際しては、一方の自動販売機の本体キャビネット１に取り付けられた左側面パネル２の後面２２と他方の自動販売機の本体キャビネット１に取り付けられた右側面パネル３の後面３２とを密着させ、一方の自動販売機の本体キャビネット１に取り付けられた右側面パネル３の後面３２と他方の自動販売機の本体キャビネット１に取り付けられた左側面パネル２との後面２２とを密着させるだけでよい。
【００２７】
上述した本発明の実施の形態である自動販売機は、本体キャビネット１の両側面にそれぞれ装着され、二台の本体キャビネット１を背中合わせに設置した場合に一方と他方とが連結される一対の左側面パネル２と右側面パネル３とを備えたので、二台の自動販売機を背中合わせに設置する場合には、一方の自動販売機の本体キャビネット１の側面に装着された側面パネル２（３）と他方の自動販売機の本体キャビネット１の側面に装着された側面パネル３（２）とが連結される。結果、一方の自動販売機と他方の自動販売機とが簡単に連結される。
【００２８】
また、二台の自動販売機を背中合わせに設置する場合には、取付金具４に背面パネル５を取り付けるので、本体キャビネット１と背面パネル５との間には排熱流路が画成され、商品を冷やすことによって生じた熱（排熱）を本体キャビネット１の上方域に排出される。
【００２９】
また、側面パネル２，３の後面は、本体キャビネット１に取り付けた取付金具４の凸部４２と面一となるので、二台の自動販売機を背中合わせに設置した場合であっても、一方の自動販売機の側面パネル２（３）と他方の自動販売機の側面パネル３（２）との間に隙間が生じることがない。
【符号の説明】
【００３０】
１    本体キャビネット
１１    貫通孔
２    左側面パネル
２２    後面
２４    係止片
２５    折返
２６    ネジ孔
２７    スリット
３    右側面パネル
３２    後面
３７    スリット
４    取付金具
４１    スリット
４２    突出面
５    背面パネル
６    連結部材取付金具
７    連結部材
７１    係止爪
【図１】
0005515884.tif 000002
【図２−１】
0005515884.tif 000003
【図２−２】
0005515884.tif 000004
【図３】
0005515884.tif 000005
【図４】
0005515884.tif 000006
【図５】
0005515884.tif 000007